(57)【要約】本発明は、その内部に配置された食料品が腐敗するのを防止するため、微生物を除去することにより滅菌する手段が提供される冷却装置に関する。
2008500508.tif 000002
【特許請求の範囲】
【請求項１】
冷却し且つ（又は）冷凍すべくその内部に食料品が配置される１つ又はより多くの室（２）と、圧縮することにより冷凍サイクル中にて冷媒を循環させるため使用されるコンプレッサ（３）と、冷媒と環境との間の熱伝導を実現するための蒸発器（４）と、蒸発器（４）により冷却された空気を室（２）内に移送し且つ室（２）内にて暖められた空気を吹き出して蒸発器（４）内に戻すため使用されるファン（５）と、高電圧発生器及び該高電圧発生器に接続された少なくとも１つの電極（７）を備えるイオン発生器（６）であって、高電圧発生器により前記した電極（７）に印加された高電圧の結果として、電極（７）の回りの空気をイオン化することにより、マイナスイオンの量を増大させるために利用される前記イオン発生器（６）とを備え、空気中の微生物は、前記マイナスイオンにより取り囲まれているため死滅するようにされた、冷却装置（１）において、
イオン発生器（６）の作動に関してユーザがデータを入力することを可能にする入力装置（８）を備え、製造メーカが決定した条件以外に、入力装置（８）を通して入力されたデータに対して作動するようにイオン発生器（６）を制御することを特徴とする、冷却装置（１）。
【請求項２】
請求項１に記載の冷却装置（１）において、ユーザは、入力装置（８）により通常の作動サイクル外にてより頻繁に又はより少ない頻度にてイオン発生器（６）を作動させることができることを特徴とする、冷却装置（１）。
【請求項３】
請求項１又は２に記載の冷却装置（１）において、ユーザは、入力装置（８）により製造メーカが決定した条件以外に、より長い期間又はより短い期間、イオン発生器（６）を作動させることができることを特徴とする、冷却装置（１）。
【請求項４】
請求項１ないし３の何れか１つの項に記載の冷却装置（１）において、ユーザは、入力装置（８）によりイオン発生器（６）を作動させ且つ不作動にすることができることを特徴とする、冷却装置（１）。
【請求項５】
請求項１ないし４の何れか１つの項に記載の冷却装置（１）において、ユーザは、入力装置（８）によりイオン発生器（６）の動力を変化させることができることを特徴とする、冷却装置（１）。
【請求項６】
請求項１ないし５の何れか１つの項に記載の冷却装置（１）において、１つ又は１つ以上のキーを備える入力装置（８）であることを特徴とする、冷却装置（１）。
【請求項７】
請求項１ないし６の何れか１つの項に記載の冷却装置（１）において、イオン発生器（６）が作動しているかどうか、作動期間、作動間隔、動力及び同様の特性をユーザに対して表示することができるディスプレイ（９）であることを特徴とする、冷却装置（１）。
【発明の詳細な説明】
【技術分野】
【０００１】
本発明は、その内部に配置された食料品が腐敗するのを防止するため、微生物を除去することにより滅菌する手段が提供される冷却装置に関する。
【背景技術】
【０００２】
剥き出しにされた食料品は、微生物が生存し且つ繁殖するのに最も適した媒質である。食料品を保存する間、適宜な注意が払われないないならば、上記の微生物は急速に繁殖して、食料品を腐敗させ、その腐敗の結果として、悪臭が発生する。食料品を冷却装置内にて保存することは、長期間の間に食料品を腐敗させることになる。しかし、上記の腐敗の原因となる微生物を完全に死滅させることはできない。その理由のため、冷却装置において、色々なイオン発生器（ｉｏｎｉｚｅｒ）が利用され、微生物が除去されて清浄となったより滅菌状態の媒質内にて食料品が保存されるようにされており、この方法は、冷却装置の環境内にあり又は冷却装置の内部に配置された食料品の微生物を食料品が保存される冷却室及び（又は）冷凍室から可能な限り多量に除去することにより行われる。
【０００３】
イオン発生器は、単に、高電圧発生器と、該高電圧発生器と接続された少なくとも１つの電極とを備える装置である。これは、高電圧発生器により上述の電極に印加された高電圧の結果、電極の回りの空気をイオン化することにより、環境中のイオンの量が増大し、また、環境中の微生物は、上述したイオンにより取り囲まれるため死滅するようにした装置である。
【０００４】
冷却装置において、イオン発生器は、微生物（細菌、ウィルス、病原菌等）を冷却装置外に除去するため利用され、その微生物は、内部に配置された食料品に付着し及び（又は）冷却室又は冷凍室の扉が開いたとき、内部に入り、その内部に配置された食料品の保存期間を短くし且つ、上記食料品の腐敗の結果として悪臭を発生させる。イオン発生器は、特に空気調和装置にても頻繁に利用されている。
【０００５】
スイス国特許出願公開ＣＨ６１８３４６号公報における現在の技術状態にて、高電圧を電極に印加することにより滅菌効果を向上させ、これにより空気中のマイナスイオンの量を増大させることのできる、冷却装置内に配置されたイオン発生器が記述されている。
【０００６】
ドイツ国特許出願公開ＤＥ３１０５８８６号公報における別の現在の技術状態にて、、空気ダクト内に配置され且つ、高電圧が供給されるイオン発生器が記述されている。
特開平５ー１４９６７１号公報における現在の技術状態にて、冷却装置の扉を開け且つ閉める頻度に対して作動させ且つ不作動とされるイオン発生器から成る脱臭器が記述されている。
【０００７】
特開平１１−３４７１１１号公報における現在の技術状態にて、その作動がイオンセンサにより制御され、また、上記イオン発生器が配置された特別な室に食料品が配置されるとき、ファンが作動し、イオン発生器はエネルギの消費量を減少させ得るよう定期的に作動される適用例が記述されている。
【特許文献１】スイス国特許出願公開ＣＨ６１８３４６号公報
【特許文献２】ドイツ国特許出願公開ＤＥ３１０５８８６号公報
【特許文献３】特開平５ー１４９６７１号公報
【特許文献４】特開平１１−３４７１１１号公報
【発明の開示】
【発明が解決しようとする課題】
【０００８】
現在の技術状態における上述した適用例の全てにおいて、イオン発生器は、製造メーカが決定した特定の時間だけ作動する。しかし、冷却装置の環境やその内部に配置される食料品が多岐に亙るというような色々なファクタのため、イオン発生器の作動はユーザが制御しなければならないであろう。
【課題を解決するための手段】
【０００９】
本発明の目的は、微生物を除去することにより滅菌処理し、その内部に配置された食料品の腐敗を防止するための手段が提供される、冷却装置を実現することである。
本発明の目的を実現し得る設計とされた冷却装置は、添付図面に図示されている。図面に示した部品の番号は次の通りである。
【００１０】
１．冷却装置
２．室
３．コンプレッサ
４．蒸発器
５．ファン
６．イオン発生器
７．電極
８．入力装置
９．ディスプレイ
【発明を実施するための最良の形態】
【００１１】
本発明の対象である冷却装置（１）は、圧縮することにより冷凍サイクル中にて冷媒を循環させるため使用されるコンプレッサ（３）と、冷却し且つ（又は）冷凍すべくその内部に食料品が配置される１つ又はより多くの室（２）と、冷媒と環境との間の熱伝導を実現するための蒸発器（４）と、蒸発器（４）により冷却された空気を室（２）内に移送し且つ室（２）内にて暖められた空気を吹き出して蒸発器（４）内に戻すため使用されるファン（５）と、高電圧発生器及び該高電圧発生器と接続された少なくとも１つの電極（７）とを備えるイオン発生器（６）であって、高電圧発生器により上述した電極（７）に印加された高電圧の結果として、電極（７）の回りの空気をイオン化するため利用される上記イオン発生器（６）とを備え、空気中の微生物は、上記マイナスイオンにより取り囲まれているため、死滅するようにされ、また、ユーザがデータを入力することを可能にする入力装置（８）と、製造メーカが決定した条件以外に、入力装置（８）を通して入力されたデータに対して作動するようにイオン発生器（６）を制御するため使用される制御カードとを備えている（図１）。
【００１２】
イオン発生器（６）は、ネットワーク電圧により供給され、また、ネットワーク電圧を増大させる、好ましくは、５０００ないし１００００直流電圧の高電圧発生器と、上記高電圧発生器の出口と接続された電極（７）とを備えている。高電圧が電極（７）に印加されたとき、電極（７）の回りの空気分子はイオン化され、環境中のマイナスイオンの量は増大する。
【００１３】
本発明の好ましい実施の形態において、蒸発器（４）によって冷却され且つファン（５）によって吹き付けられて室（２）に運ばれる冷却した空気と室（２）内に配置された食料品との間にて熱伝導が生じ、食品が冷却するとき暖まった空気は、室（２）から蒸発器（４）まで送られて戻る。食料品の上を通り、微生物を含む空気は、ファン（５）の吸引作用のため、電極（７）の上を通る。イオン発生器（６）が作動すると、高電圧の結果として、電極（７）と、その回りの空気との間にて電界が発生し、このため、空気内の分子（水等）はそのイオンに分離し、電極（７）の回りにてマイナスイオンの量は増大する。その結果、空気の流れを通して運ばれる室（２）内の微生物を取り囲むことにより、微生物は、上記マイナスのイオンによって空気の欠乏のため死滅し又はより重くなり且つ析出する。
【００１４】
多量の食料品が冷却装置（１）内に装填され及び（又は）有臭の食料品が配置されたならば、ユーザは、製造メーカが決定した条件以外の条件にてイオン発生器（６）を作動させるため、ユーザが入力装置（８）に作動開始命令を与える時点から開始して入力装置（８）を利用することができる。これにより、ユーザは長時間又は短時間、イオン発生器（６）をより頻繁に又はより少ない頻度にて作動させ、また、ユーザはイオン発生器（６）を作動させ且つ不作動にすることができ、加減することでイオン発生器（６）の動力を変化させることが実現される。
【００１５】
本発明の対象である冷却装置（１）の作動を説明するため、次の記号が利用される。
ｔＩＯＮ：通常の作動サイクル中のイオン発生器（６）の所定の作動期間
ｔＩＯＮ＿ＭＩＮ：通常の作動サイクル中、イオン発生器（６）が再始動するための所定の最小の待機時間
ｔＩＯＮ＿ＩＮＰＵＴ：製造メーカが決定した条件以外の条件にて入力装置（８）を利用することにより決定されるイオン発生器（６）の作動期間
ｔＩＯＮ＿ＩＮＰＵＴ＿ＭＩＮ：製造メーカが決定した条件以外の条件にて入力装置（８）を利用することにより決定される、イオン発生器（６）が再始動するための最小の待機時間
入力装置（８）は、冷却装置（１）上に配置されており、入力装置（８）によってデータが入力されると、入力装置（８）を利用することにより決定され、及び好ましくは、所定の作動期間（ｔＩＯＮ）よりも長い作動期間（ｔＩＯＮ＿ＩＮＰＵＴ）だけイオン発生器（６）は作動し、また、入力装置（８）を利用することにより決定されるイオン発生器（６）が再始動するための最小の待機時間（ｔＩＯＮ＿ＩＮＰＵＴ＿ＭＩＮ）は、通常の作動サイクル中、イオン発生器（６）が再始動するための所定の最小の待機時間（ｔＩＯＮ＿ＩＮＰＵＴ＿ＭＩＮ）よりも短いことが好ましいことが実現される。入力した瞬間のデータにて測定を開始する本出願における期間（ｔＩＯＮ＿ＩＮＰＵＴ）及び（ｔＩＯＮ＿ＩＮＰＵＴ＿ＭＩＮ）は、製造メーカが決定した期間（ｔＩＯＮ）及び（ｔＩＯＮ＿ＭＩＮ）とすることができるから、これらは、ユーザが入力装置（８）によって変更した期間とすることもできる。
【００１６】
本発明の好ましい実施の形態において、入力装置（８）は、１つ又は１つ以上のキーを備え、イオン発生器（６）は、ユーザが該キーを押したときに作動され、入力装置（８）を利用することにより決定された作動期間（ｔＩＯＮ＿ＩＮＰＵＴ）だけ作動を続ける。イオン発生器（６）の作動期間（ｔＩＯＮ＿ＩＮＰＵＴ）が満了すると、イオン発生器は、通常の作動サイクルに戻ることにより作動を続ける。入力装置（８）を利用することにより決定される作動期間（ｔＩＯＮ＿ＩＮＰＵＴ）は、通常の作動サイクル中の作動期間（ｔＩＯＮ）とすることができるから、この期間は、通常の作動サイクル中のイオン発生器（６）の作動期間（ｔＩＯＮ）と異なる期間（ｔＩＯＮ＿ＩＮＰＵＴ）とすることもできる。
【００１７】
本発明の１つの代替的な実施の形態において、入力装置（８）は、２つのキーを使用する。イオン発生器（６）の作動期間（ｔＩＯＮ＿ＩＮＰＵＴ）は、上記キーの１つを利用することにより設定することができ、また、再始動するための最小の待機時間（ｔＩＯＮ＿ＭＩＮ＿ＩＮＰＵＴ）は、他方のキーを利用することにより設定することができる。双方のキーは、１つ又は１つ以上の段を備え、ユーザがイオン発生器（６）の１つ又は１つ以上の作動段を選ぶことを可能にする。
【００１８】
本発明の別の代替的な実施の形態において、入力装置（８）は、キーボードとして機能するキーパッドを使用する。キーパッドを利用することにより、ユーザは作動期間（ｔＩＯＮ＿ＩＮＰＵＴ）と、２つの作動の間の期間（ｔＩＯＮ＿ＩＮＰＵＴ＿ＭＩＮ）とを所望の値に変更することができる。
【００１９】
本発明の好ましい実施の形態において、冷却装置（１）は、イオン発生器（６）が作動されたときに作動される表示装置（９）を備えている。これにより、イオン発生器（６）が作動しているかどうか、作動期間、作動間隔、動力及び同様の特性をユーザに対して表示することができる。
【００２０】
本発明の対象である冷却装置（１）により、冷却装置（１）内の微生物を冷却装置（１）の外部に除去することにより、食料品はより滅菌環境にて保存され、冷却装置（１）の環境やその内部に配置された多岐に亙る食料品等のような色々なファクタのため必要であれば、ユーザは、イオン発生器（６）の作動を制御することが可能であることが実現される。
【図面の簡単な説明】
【００２１】
【図１】冷却装置の概略図である。
【図１】
2008500508.tif 000003
【国際調査報告】
2008500508.tif 000004
2008500508.tif 000005
2008500508.tif 000006